(57)【特許請求の範囲】
【請求項１】
基地局装置と移動局装置とが、複数の異なる周波数のセルを集約して通信を行なう通信システムにおける移動局装置であって、
前記基地局装置から通知されたタイマーを設定し、
前記タイマーが満了した前記セルの状態をディアクティベーションに変更し、上りリンクと下りリンクの対応関係を示す情報であって、前記基地局装置から通知された周波数情報に基づいて、前記セルに関連する前記上りリンクの送信処理および前記下りリンクの受信処理を変更することを特徴とする移動局装置。
【請求項２】
前記ディアクティベーションの状態のセルに関連する上りリンクの送信処理として、上りリンクデータの送信を停止し、前記セルに関連する下りリンクの受信処理として、下りリンク制御チャネルの監視を停止することを特徴とする請求項１に記載の移動局装置。
【請求項３】
基地局装置と移動局装置とが、複数の異なる周波数のセルを集約して通信を行なう通信システムにおける移動局装置の無線リンク状態管理方法であって、
前記基地局装置から通知されたタイマーを設定するステップと、
前記タイマーが満了した前記セルの状態をディアクティベーションに変更し、上りリンクと下りリンクの対応関係を示す情報であって、前記基地局装置から通知された周波数情報に基づいて、前記セルに関連する前記上りリンクの送信処理および前記下りリンクの受信処理を変更するステップと、を含むことを特徴とする無線リンク状態管理方法。
【請求項４】
前記ディアクティベーションの状態のセルに関連する上りリンクの送信処理として、上りリンクデータの送信を停止するステップと、前記セルに関連する下りリンクの受信処理として、下りリンク制御チャネルの監視を停止するステップと、を含むことを特徴とする請求項３に記載の無線リンク状態管理方法。
【請求項５】
基地局装置と移動局装置とが、複数の異なる周波数のセルを集約して通信を行なう通信システムにおける移動局装置に実装され、前記移動局装置に複数の機能を発揮させる集積回路であって、
前記基地局装置から通知されたタイマーを設定する機能と、
前記タイマーが満了した前記セルの状態をディアクティベーションに変更し、上りリンクと下りリンクの対応関係を示す情報であって、前記基地局装置から通知された周波数情報に基づいて、前記セルに関連する前記上りリンクの送信処理および前記下りリンクの受信処理を変更する機能と、の一連の機能を、前記移動局装置に発揮させることを特徴とする集積回路。
【請求項６】
前記ディアクティベーションの状態のセルに関連する上りリンクの送信処理として、上りリンクデータの送信を停止する機能と、前記セルに関連する下りリンクの受信処理として、下りリンク制御チャネルの監視を停止する機能と、を含むことを特徴とする請求項５に記載の集積回路。
【発明の詳細な説明】
【技術分野】
【０００１】
本発明は、通信システム、移動局装置、無線リンク状態管理方法及び集積回路に関し、特に、移動局装置が複数の周波数帯域を用いて基地局装置と無線接続している場合の無線リンク状態管理方法に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）が検討され、更にその発展形であるＡｄｖａｎｃｅｄ  ＥＵＴＲＡ（LTE-Advancedとも称される）の検討が進められている。
【０００３】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Ｃａｒｒｉｅｒ  Ａｇｇｒｅｇａｔｉｏｎ）が提案されている。キャリア・アグリゲーションとは、複数の異なる周波数帯域（キャリア周波数、コンポーネントキャリア（Ｃｏｍｐｏｎｅｎｔ  Ｃａｒｒｉｅｒ）とも称する）で送信された送信装置のデータを、異なる周波数帯域に対応する受信装置においてそれぞれ受信することで、データレートを向上させる技術である。なお、以後は下りリンク送信における受信装置のことを移動局装置、送信装置のことを基地局装置と記載し、上りリンク送信における受信装置のことを基地局装置、上りリンク送信における送信装置のことを移動局装置と記載するが、本発明の適用範囲はこれらの装置に限定する必要は無い。
【０００４】
ＥＵＴＲＡの移動局装置は、現在無線接続中の基地局装置が通信先として適切であるかについて、上位レイヤで無線リンク問題（Ｒａｄｉｏ  Ｌｉｎｋ  Ｐｒｏｂｌｅｍ）を検出することで判定している。無線リンク問題とは、下位レイヤ（物理レイヤ及びデータリンクレイヤ）で発生した問題（物理レイヤにおける物理レイヤ問題（Ｐｈｙｓｉｃａｌ  Ｌａｙｅｒ  Ｐｒｏｂｌｅｍ）またはデータリンクレイヤにおけるランダムアクセス問題（Ｒａｎｄｏｍ  Ａｃｃｅｓｓ  Ｐｒｏｂｌｅｍ））のことである。物理レイヤ問題は、物理レイヤが基地局装置からの送信信号の受信品質と、閾値との比較結果である下りリンク同期誤り（ｏｕｔ−ｏｆ−ｓｙｎｃ）通知、及び下りリンク同期回復（ｉｎ−ｓｙｎｃ）通知に基づきＲＲＣ（Ｒａｄｉｏ  Ｒｅｓｏｕｒｃｅ  Ｃｏｎｔｒｏｌ）で検出される。
【０００５】
また、ランダムアクセス問題は、プリアンブル送信回数が最大送信回数に達した場合にデータリンクレイヤのＭＡＣ（Ｍｅｄｉｕｍ  Ａｃｃｅｓｓ  Ｃｏｎｔｒｏｌ）で検出され、ＲＲＣへ通知される。ＭＡＣは、ランダムアクセス送信の管理、上りリンクの送信タイミングのずれの管理、バッファ状態の管理などを主に行なう。ＲＲＣは下位レイヤの状態の管理や、無線リソース制御の管理、移動制御などを主に行なう。また、ＲＲＣは、検出または通知された無線リンク問題に基づいて、基地局装置との無線接続に誤りが発生したことを示す無線リンク障害（Ｒａｄｉｏ  Ｌｉｎｋ  ｆａｉｌｕｒｅ）を検出する。
【０００６】
なお、３ＧＰＰが規定する第３世代の基地局装置はノードＢ（NodeB）と称され、ＥＵＴＲＡ及びＡｄｖａｎｃｅｄ  ＥＵＴＲＡにおける基地局装置はイーノードＢ（eNodeB）と称される。基地局装置は移動局装置が通信可能なエリアであるセルを管理し、セルは移動局装置と通信可能なエリアの大きさに応じてフェムトセルやピコセル、ナノセルとも称される。また、移動局装置がある基地局装置と通信可能であるとき、その基地局装置のセルは移動局装置の在圏セルであり、その他の基地局装置、または異なる周波数のセルは周辺セルと称される。
【先行技術文献】
【非特許文献】
【０００７】
【非特許文献１】Ｒ２−０９６５０５，ＣＡＴＴ，３ＧＰＰ  ＴＳＧ−ＲＡＮ  ＷＧ２  Ｍｅｅｔｉｎｇ  ＃６８，Ｊｅｊｕ，Ｓｏｕｔｈ  Ｋｏｒｅａ，９ｔｈ−１３ｔｈ  Ｎｏｖｅｍｂｅｒ  ２００９
【非特許文献２】Ｒ２−０９６４９６，Ｈｕａｗｅｉ，３ＧＰＰ  ＴＳＧ−ＲＡＮ  ＷＧ２  Ｍｅｅｔｉｎｇ  ＃６８，Ｊｅｊｕ，Ｓｏｕｔｈ  Ｋｏｒｅａ，９ｔｈ−１３ｔｈ  Ｎｏｖｅｍｂｅｒ  ２００９
【非特許文献３】Ｒ２−０９６８４５，Ｎｏｋｉａ  Ｃｏｒｐｏｒａｔｉｏｎ，  Ｎｏｋｉａ  Ｓｉｅｍｅｎｓ  Ｎｅｔｗｏｒｋｓ，３ＧＰＰ  ＴＳＧ−ＲＡＮ  ＷＧ２  Ｍｅｅｔｉｎｇ  ＃６８，Ｊｅｊｕ，Ｓｏｕｔｈ  Ｋｏｒｅａ，９ｔｈ−１３ｔｈ  Ｎｏｖｅｍｂｅｒ  ２００９
【発明の概要】
【発明が解決しようとする課題】
【０００８】
移動局装置は複数の周波数帯域を受信している場合であっても、無線リソースの利用効率の観点から無線リンク障害を検出する必要がある。しかしながら、複数の周波数帯域を受信している移動局装置の物理レイヤ問題とランダムアクセス問題については、これまで非特許文献１〜３にあるように、複数の提案がなされているが、Ａｄｖａｎｃｅｄ  ＥＵＴＲＡにおける移動局装置（以降単に移動局装置と略す）の物理レイヤ問題とランダムアクセス問題が発生したときの動作について決定していない。特に、移動局装置が、無線リンク問題が発生した周波数帯域（コンポーネントキャリア）の無線リンク状態をどのように管理するかについて決定していない。
【０００９】
上述した非特許文献１〜３には、移動局装置がコンポーネントキャリア毎に物理レイヤ問題とランダムアクセス問題を検出することと、無線リンク障害の発生を検出するための判定方法について開示されているが、移動局装置に設定されたコンポーネントキャリアで無線リンク問題が発生した場合に、移動局装置がその他の下りリンクコンポーネントキャリアまたは上りリンクコンポーネントキャリアの無線リンク状態（無線接続状態）をどのように管理すべきかについて開示されていない。
【００１０】
上記の課題を鑑みて、本発明は、移動局装置が複数の周波数帯域を用いて基地局装置と無線接続している場合に、複数の周波数帯域の連携関係を考慮し、効率的に周波数帯域の無線リンク状態を管理可能な通信システム、移動局装置、無線リンク状態管理方法及び集積回路を提供することを目的とする。
【課題を解決するための手段】
【００１１】
（１）上記の目的を達成するために、本発明は、以下のような手段を講じた。すなわち、本発明の通信システムは、基地局装置と移動局装置とが、異なる複数の周波数帯域を集約して通信を行なう通信システムであって、前記基地局装置は、前記移動局装置に対して、少なくとも一つの下りリンクの周波数帯域の無線リンク状態を管理するための下りリンク状態判定情報と、少なくとも一つの上りリンクの周波数帯域の無線リンク状態を管理するためのランダムアクセス情報とを設定し、前記移動局装置は、前記基地局装置から設定された情報に基づいて周波数帯域の品質劣化を示す無線リンク問題を前記周波数帯域毎に検出し、前記無線リンク問題を検出した前記周波数帯域と、前記無線リンク問題を検出した前記周波数帯域と連携関係にある別の周波数帯域の無線リンク状態を同時に変更することを特徴とする。
【００１２】
（２）また、本発明の通信システムにおいて、前記移動局装置は、前記基地局装置から前記下りリンク状態判定情報が設定された一つまたは複数の下りリンクの周波数帯域の無線リンク状態を下りリンクの周波数帯域の品質劣化を示す下りリンクコンポーネントキャリア障害に変更した場合に、前記下りリンクの周波数帯域と連携関係にある前記上りリンクの周波数帯域の無線リンク状態を同時に変更することを特徴とする。
【００１３】
（３）また、本発明の通信システムにおいて、前記移動局装置は、無線リンク状態を下りリンクコンポーネントキャリア障害に変更した前記下りリンクの周波数帯域と連携関係にある前記上りリンクの周波数帯域の無線リンク状態を、上りリンクの周波数帯域の品質劣化を示す上りリンクコンポーネントキャリア障害に変更することを特徴とする。
【００１４】
（４）また、本発明の通信システムにおいて、前記移動局装置は、前記下りリンクの周波数帯域の無線リンク状態が全て下りリンクコンポーネントキャリア障害となった場合、及び、無線リンク状態を下りリンクコンポーネントキャリア障害に変更した前記下りリンクの周波数帯域と連携関係にある前記上りリンクの周波数帯域の無線リンク状態を変更したことによって、前記上りリンクの周波数帯域の無線リンク状態が全て上りリンクコンポーネントキャリア障害となった場合に、無線リソース再確立手順を開始することを特徴とする。
【００１５】
（５）また、本発明の通信システムにおいて、前記移動局装置は、無線リンク状態を下りリンクコンポーネントキャリア障害に変更した前記下りリンクの周波数帯域と連携関係にある前記上りリンクの周波数帯域の無線リンク状態を変更したことによって、前記上りリンクの周波数帯域の無線リンク状態が全て上りリンクコンポーネントキャリア障害となった場合に、無線リソース再確立手順を開始することを特徴とする。
【００１６】
（６）また、本発明の通信システムにおいて、前記移動局装置は、無線リンク状態を下りリンクコンポーネントキャリア障害に変更した前記下りリンクの周波数帯域と連携関係にある前記上りリンクの周波数帯域の無線リンク状態を変更したことによって、上りリンクアンカーキャリアである上りリンクの周波数帯域の無線リンク状態が上りリンクコンポーネントキャリア障害となった場合に、無線リソース再確立手順を開始することを特徴とする。
【００１７】
（７）また、本発明の通信システムにおいて、前記移動局装置は、前記基地局装置から前記ランダムアクセス情報が設定された一つまたは複数の上りリンクの周波数帯域の無線リンク状態を上りリンクの周波数帯域の品質劣化を示す上りリンクコンポーネントキャリア障害に変更した場合に、前記上りリンクの周波数帯域と連携関係にある前記下りリンクの周波数帯域の無線リンク状態を同時に変更することを特徴とする。
【００１８】
（８）また、本発明の通信システムにおいて、前記移動局装置は、無線リンク状態を上りリンクコンポーネントキャリア障害に変更した前記上りリンクの周波数帯域と連携関係にある前記下りリンクの周波数帯域の無線リンク状態を、下りリンクの周波数帯域の品質劣化を示す下りリンクコンポーネントキャリア障害に変更することを特徴とする。
【００１９】
（９）また、本発明の通信システムにおいて、前記移動局装置は、前記上りリンクの周波数帯域の無線リンク状態が全て上りリンクコンポーネントキャリア障害となった場合、及び、無線リンク状態を上りリンクコンポーネントキャリア障害に変更した前記上りリンクの周波数帯域と連携関係にある前記下りリンクの周波数帯域の無線リンク状態を変更したことによって、前記下りリンクの周波数帯域の無線リンク状態が全て下りリンクコンポーネントキャリア障害となった場合に、無線リソース再確立手順を開始することを特徴とする。
【００２０】
（１０）また、本発明の通信システムにおいて、前記移動局装置は、無線リンク状態を上りリンクコンポーネントキャリア障害に変更した前記上りリンクの周波数帯域と連携関係にある前記下りリンクの周波数帯域の無線リンク状態を変更したことによって、前記下りリンクの周波数帯域の無線リンク状態が全て下りリンクコンポーネントキャリア障害となった場合に、無線リソース再確立手順を開始することを特徴とする。
【００２１】
（１１）また、本発明の通信システムにおいて、前記移動局装置は、無線リンク状態を上りリンクコンポーネントキャリア障害に変更した前記上りリンクの周波数帯域と連携関係にある前記下りリンクの周波数帯域の無線リンク状態を変更したことによって、下りリンクアンカーキャリアである下りリンクの周波数帯域の無線リンク状態が下りリンクコンポーネントキャリア障害となった場合に、無線リソース再確立手順を開始することを特徴とする。
【００２２】
（１２）また、本発明の移動局装置は、基地局装置と移動局装置とが、異なる複数の周波数帯域を集約して通信を行なう通信システムにおける移動局装置であって、前記基地局装置から設定された情報に基づいて周波数帯域の品質劣化を示す無線リンク問題を前記周波数帯域毎に検出し、前記無線リンク問題を検出した前記周波数帯域と、前記無線リンク問題を検出した前記周波数帯域と連携関係にある別の周波数帯域の無線リンク状態を同時に変更する無線リンク状態管理部を具備することを特徴とする。
【００２３】
（１３）また、本発明の移動局装置において、前記基地局装置から前記下りリンク状態判定情報が設定された一つまたは複数の下りリンクの周波数帯域の無線リンク状態を下りリンクの周波数帯域の品質劣化を示す下りリンクコンポーネントキャリア障害に変更した場合に、前記下りリンクの周波数帯域と連携関係にある前記上りリンクの周波数帯域の無線リンク状態を同時に変更する無線リンク状態管理部を具備することを特徴とする。
【００２４】
（１４）また、本発明の移動局装置において、無線リンク状態を下りリンクコンポーネントキャリア障害に変更した前記下りリンクの周波数帯域と連携関係にある前記上りリンクの周波数帯域の無線リンク状態を、上りリンクの周波数帯域の品質劣化を示す上りリンクコンポーネントキャリア障害に変更する無線リンク状態管理部を具備することを特徴とする。
【００２５】
（１５）また、本発明の移動局装置において、前記下りリンクの周波数帯域の無線リンク状態が全て下りリンクコンポーネントキャリア障害となった場合、及び、無線リンク状態を下りリンクコンポーネントキャリア障害に変更した前記下りリンクの周波数帯域と連携関係にある前記上りリンクの周波数帯域の無線リンク状態を変更したことによって、前記上りリンクの周波数帯域の無線リンク状態が全て上りリンクコンポーネントキャリア障害となった場合に、無線リソース再確立手順を開始する無線リンク状態管理部を具備することを特徴とする。
【００２６】
（１６）また、本発明の移動局装置において、無線リンク状態を下りリンクコンポーネントキャリア障害に変更した前記下りリンクの周波数帯域と連携関係にある前記上りリンクの周波数帯域の無線リンク状態を変更したことによって、前記上りリンクの周波数帯域の無線リンク状態が全て上りリンクコンポーネントキャリア障害となった場合に、無線リソース再確立手順を開始する無線リンク状態管理部を具備することを特徴とする。
【００２７】
（１７）また、本発明の移動局装置において、無線リンク状態を下りリンクコンポーネントキャリア障害に変更した前記下りリンクの周波数帯域と連携関係にある前記上りリンクの周波数帯域の無線リンク状態を変更したことによって、上りリンクアンカーキャリアである上りリンクの周波数帯域の無線リンク状態が上りリンクコンポーネントキャリア障害となった場合に、無線リソース再確立手順を開始する無線リンク状態管理部を具備することを特徴とする。
【００２８】
（１８）また、本発明の移動局装置において、前記基地局装置から前記ランダムアクセス情報が設定された一つまたは複数の上りリンクの周波数帯域の無線リンク状態を上りリンクの周波数帯域の品質劣化を示す上りリンクコンポーネントキャリア障害に変更した場合に、前記上りリンクの周波数帯域と連携関係にある前記下りリンクの周波数帯域の無線リンク状態を同時に変更する無線リンク状態管理部を具備することを特徴とする請求項１２に記載の移動局装置。
【００２９】
（１９）また、本発明の移動局装置において、無線リンク状態を上りリンクコンポーネントキャリア障害に変更した前記上りリンクの周波数帯域と連携関係にある前記下りリンクの周波数帯域の無線リンク状態を、下りリンクの周波数帯域の品質劣化を示す下りリンクコンポーネントキャリア障害に変更する無線リンク状態管理部を具備することを特徴とする。
【００３０】
（２０）また、本発明の移動局装置において、前記下りリンクの周波数帯域の無線リンク状態が全て下りリンクコンポーネントキャリア障害となった場合、及び、無線リンク状態を上りリンクコンポーネントキャリア障害に変更した前記上りリンクの周波数帯域と連携関係にある前記下りリンクの周波数帯域の無線リンク状態を変更したことによって、前記下りリンクの周波数帯域の無線リンク状態が全て下りリンクコンポーネントキャリア障害となった場合に、無線リソース再確立手順を開始する無線リンク状態管理部を具備することを特徴とする。
【００３１】
（２１）また、本発明の移動局装置において、無線リンク状態を上りリンクコンポーネントキャリア障害に変更した前記上りリンクの周波数帯域と連携関係にある前記下りリンクの周波数帯域の無線リンク状態を変更したことによって、前記下りリンクの周波数帯域の無線リンク状態が全て下りリンクコンポーネントキャリア障害となった場合に、無線リソース再確立手順を開始する無線リンク状態管理部を具備することを特徴とする。
【００３２】
（２２）また、本発明の移動局装置において、無線リンク状態を上りリンクコンポーネントキャリア障害に変更した前記上りリンクの周波数帯域と連携関係にある前記下りリンクの周波数帯域の無線リンク状態を変更したことによって、下りリンクアンカーキャリアである下りリンクの周波数帯域の無線リンク状態が下りリンクコンポーネントキャリア障害となった場合に、無線リソース再確立手順を開始する無線リンク状態管理部を具備することを特徴とする。
【００３３】
（２３）また、本発明の無線リンク状態管理方法は、基地局装置と移動局装置とが、異なる複数の周波数帯域を集約して通信を行なう通信システムにおける無線リンク状態管理方法であって、前記移動局装置において、前記基地局装置から設定された情報に基づいて周波数帯域の品質劣化を示す無線リンク問題を前記周波数帯域毎に検出するステップと、前記無線リンク問題を検出した前記周波数帯域と、前記無線リンク問題を検出した前記周波数帯域と連携関係にある別の周波数帯域の無線リンク状態を同時に変更するステップを含むことを特徴とする。
【００３４】
（２４）また、本発明の集積回路は、基地局装置と移動局装置とが、異なる複数の周波数帯域を集約して通信を行なう通信システムにおける移動局装置の無線リンク状態管理を行なう集積回路であって、前記基地局装置から設定された情報に基づいて前記周波数帯域の品質劣化を示す無線リンク問題を前記周波数帯域毎に検出し、前記無線リンク問題を検出した前記周波数帯域と、前記無線リンク問題を検出した前記周波数帯域と連携関係にある別の周波数帯域の無線リンク状態を同時に変更する無線リンク状態管理部を具備することを特徴とする。
【発明の効果】
【００３５】
以上説明したように、本発明によれば、移動局装置が複数の周波数帯域を用いて基地局装置と無線接続している場合に、複数の周波数帯域の連携関係を考慮し、効率的に周波数帯域の無線リンク状態を管理可能な通信システム、移動局装置、無線リンク状態管理方法及び集積回路を提供することが出来る。
【図面の簡単な説明】
【００３６】
【図１】本発明の実施形態に係る移動局装置１の一例を示したブロック図である。
【図２】本発明の実施形態に係る基地局装置２の一例を示したブロック図である。
【図３】無線リンク問題を検出した場合の無線リンク管理方法について説明するための図である。
【図４】無線リンク問題に係わるコンポーネントキャリア毎の無線リンク状態の状態遷移の方法を示した図である。
【図５】無線リンク問題を検出した場合の無線リンク管理方法について説明するための別の図である。
【図６】複数のセル固有接続を持つコンポーネントキャリアとセル固有接続されたコンポーネントキャリアで無線リンク問題を検出した場合の無線リンク管理方法について説明するための図である。
【図７】無線リンク問題に係わるコンポーネントキャリア毎の無線リンク状態の状態遷移の方法を示した別の図である。
【図８】無線リンク問題を検出した場合の無線リンク管理方法について説明するための別の図である。
【図９】無線リンク問題に係わるコンポーネントキャリア毎の無線リンク状態の状態遷移の方法を示した別の図である。
【図１０】複数のセル固有接続を持つコンポーネントキャリアで無線リンク問題が発生した場合の無線リンク管理方法について説明するための図である。
【図１１】無線リンク問題に係わるコンポーネントキャリア毎の無線リンク状態の状態遷移の方法を示した別の図である。
【図１２】拡張セル固有接続を持つコンポーネントキャリアで無線リンク問題が発生した場合の無線リンク管理方法について説明するための図である。
【図１３】従来の下りリンクの無線リンク状態の状態遷移の方法について説明した図である。
【図１４】本発明の実施形態に係る通信ネットワーク構成の一例を示す図である。
【図１５】本発明の実施形態に係る移動局装置１に対するコンポーネントキャリアの設定の一例を示した図である。
【図１６】本発明の実施形態に係る移動局装置１のレイヤ構成の一例について示した図である。
【発明を実施するための形態】
【００３７】
本発明の実施形態を説明する前に、本発明に関する物理チャネルと物理レイヤ問題、ランダムアクセス問題、キャリア・アグリゲーションについて説明する。
【００３８】
（１）物理チャネル
ＥＵＴＲＡ及びＡｄｖａｎｃｅｄ  ＥＵＴＲＡで使用される物理チャネル（または物理シグナル）について説明を行なう。物理チャネルは、基地局装置から移動局装置へ送信される下りリンクにおける下りリンクチャネルと、移動局装置から基地局装置へ送信される上りリンクにおける上りリンクチャネルとが存在する。物理チャネルは、ＥＵＴＲＡ、及びＡｄｖａｎｃｅｄ  ＥＵＴＲＡにおいて、今後追加、または、その構造が変更される可能性もあるが、変更された場合でも本発明の各実施形態の説明には影響しない。
【００３９】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ：Physical Cell Identity; PCI）と、無線同期のためのフレームタイミングが示される。移動局装置は、セルサーチによって受信した同期シグナルのセルＩＤを特定する。
【００４０】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンクデータチャネルを用いてレイヤ３メッセージで送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）などが通知される。
【００４１】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンクデータチャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００４２】
下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割当て情報を取得する必要がある。
【００４３】
下りリンクデータチャネル（PDSCH; Physical Downlink Shared Channel）は、下りリンクデータの他、下りリンク制御データであるレイヤ３メッセージとしてページングや報知情報を通知するためにも使用される。下りリンクデータチャネルの無線リソース割当て情報は、下りリンク制御チャネルで示される。
【００４４】
上りリンクデータチャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に上りリンクデータチャネルの無線リソース割当て情報は、下りリンク制御チャネルで示される。
【００４５】
ランダムアクセスチャネル（PRACH; Physical Random Access Channel）は、プリアンブル系列を通知するために使用されるチャネルであり、ガードタイムを持つ。ランダムアクセスチャネルは、移動局装置の基地局装置へのアクセス手段として用いられる。移動局装置は、上りリンク制御チャネル未設定時の送信データのスケジューリング要求や、上りリンク送信タイミングを基地局装置の受信タイミングウィンドウに合わせるために必要な送信タイミング調整情報の要求にランダムアクセスチャネルを用いる。送信タイミング調整情報を受信した移動局装置は、送信タイミング調整情報の有効時間を設定し、有効時間中は送信タイミング調整状態、有効期間外は、送信タイミング非調整状態となる。なお、それ以外の物理チャネルは、本発明の各実施形態に関わらないため詳細な説明は省略する。
【００４６】
（１）物理レイヤ問題
図１３は、従来用いられている物理レイヤ問題に関する無線リンク状態判定手順の一例であり、時間の経過に伴う状態遷移について示している。移動局装置は、受信中の下りリンクチャネルのいずれかの受信品質と閾値とを比較することで下りリンクの無線リンク状態を管理する。受信品質と閾値との比較は典型的には物理レイヤで実施され、下りリンクの無線リンク状態は典型的にはＲＲＣで管理される。
【００４７】
図１３は、移動局装置が、物理レイヤで下りリンク同期誤り検出後に下りリンクの受信品質が回復せず、再接続されずにアイドル状態（移動局装置が基地局装置と無線リソース接続されていない状態）に遷移する場合の、移動局装置の下りリンクの無線リンク状態の遷移を示した一例である。ここで、移動局装置は、所定の閾値よりも受信品質が劣化したと判断した場合、下りリンク同期誤りを物理レイヤからＲＲＣへ送信する。下りリンク同期誤りが通知された場合、移動局装置は、ＲＲＣにおいて下りリンクの無線リンク状態を同期区間から誤り検出区間に遷移させ、下りリンク同期誤りが一時的なものかどうかを判定する。
【００４８】
更に、誤り検出区間でも下りリンク同期誤りが物理レイヤから引き続き通知され、一定回数連続して下りリンク同期誤りが検出された場合、または一定時間連続して下りリンク同期誤りが検出された場合、移動局装置は無線リンク問題（物理レイヤ問題）が発生したと判断し、続いて下りリンクの無線リンク状態を受信品質の回復を待つ同期保護区間へと遷移させ、同時に同期保護区間を計時する同期保護タイマーを起動する。
【００４９】
同期保護タイマーが満了しても下りリンクチャネルの受信品質が回復しない場合、移動局装置は下りリンクの品質劣化を示す無線リンク障害に至ったと判定し、下りリンクの無線リンク状態を無線リソース接続の再確立を試みる再接続区間に遷移させ、同時に再接続区間を計時する再接続タイマーを起動する。再接続区間において、移動局装置は受信品質の良好なセルを選択するセルリセレクション手順を行う。セルリセレクション手順により、良好なセルを選択した移動局装置は、ランダムアクセス手順を開始し、前記良好なセルに対して再接続要求メッセージ（無線リソース再確立メッセージ）を通知する。移動局装置は、前記再接続タイマーによる計測が満了するまでに、再接続要求メッセージに対する許可が基地局装置から通知されなかった場合、無線リソース接続の再確立に失敗したと判定して保持していた無線リソースを解放し、基地局装置と無線リソース接続されていないアイドル状態区間へと遷移する。
【００５０】
（２）ランダムアクセス問題
移動局装置は、ランダムアクセスチャネルの送信試行回数をカウントすることでデータリンクレイヤにおけるランダムアクセス問題を管理する。このデータリンクレイヤにおけるランダムアクセスチャネルの送信試行回数のカウントは典型的にはＭＡＣで実施され、ランダムアクセス問題はＲＲＣで管理される。
【００５１】
移動局装置は基地局装置に対して何れかのランダムアクセスチャネルの送信理由が発生した場合に、ランダムに選択したプリアンブル系列、または基地局装置が割り当てたプリアンブル系列を、ランダムアクセスチャネルを用いて基地局装置へと送信する。このとき、基地局装置がランダムアクセスチャネルを識別できないなどの理由で一定時間内に基地局装置からランダムアクセスチャネルに対する応答が返ってこない場合、移動局装置は、再びランダムアクセスチャネルを送信する。移動局装置は、ランダムアクセスチャネルの送信回数をカウントし、送信回数が規定値（最大送信回数）を超えた場合に上りリンクの品質劣化を示すランダムアクセス問題が検出されたと判定する。なお、移動局装置はランダムアクセス問題を検出しても、ランダムアクセスの停止などの指示が出されるまでは基地局装置に対して同じパラメータでランダムアクセスチャネルを送信し続ける。ランダムアクセスの停止の指示は、典型的にはＲＲＣからＭＡＣに対して行なわれる。
【００５２】
（３）キャリア・アグリゲーション
キャリア・アグリゲーションとは、複数の異なる周波数帯域（コンポーネントキャリア）を集約（アグリゲーション）して一つの周波数帯域のように扱う技術である。例えば、キャリア・アグリゲーションによって周波数帯域幅が２０ＭＨｚのコンポーネントキャリアを５つ集約した場合、移動局装置は１００ＭＨｚの周波数帯域幅とみなしてアクセスすることが可能となる。なお、集約するコンポーネントキャリアは連続した周波数帯域であっても、全てまたは一部が不連続となる周波数帯域であってもよい。例えば、使用可能な周波数帯域が８００ＭＨｚ帯域、２．４ＧＨｚ帯域、３．４ＧＨｚ帯域である場合、ある一つのコンポーネントキャリアが８００ＭＨｚ帯域、別のコンポーネントキャリアが２ＧＨｚ帯域、さらに別のコンポーネントキャリアが３．４ＧＨｚ帯域で送信されていてもよい。
【００５３】
また、同一周波数帯域、例えば２．４ＧＨｚ帯域内の連続または不連続のコンポーネントキャリアを集約することも可能である。各コンポーネントキャリアの周波数帯域幅は２０ＭＨｚより狭い周波数帯域幅であっても良く、各々異なっていても良い。
【００５４】
基地局装置は、滞留しているデータバッファ量や移動局装置の受信品質、セル内の負荷やＱｏＳなどの種々の要因に基づいて、移動局装置に割り当てる上りリンクまたは下りリンクのコンポーネントキャリアの数を増減することができる。
【００５５】
[本発明の通信ネットワーク構成の例]
図１４は、本発明の実施形態に係る通信ネットワーク構成の一例を示す図である。移動局装置１は、キャリア・アグリゲーションによって複数の周波数帯域（コンポーネントキャリア、Band1~Band3）を同時に用いて基地局装置２と無線接続することが可能な場合、通信ネットワーク構成としては、ある一つの基地局装置２が複数の周波数帯域毎に送信装置１１〜１３（及び図示しない受信装置２１〜２３）を備えており、各周波数帯域の制御を一つの基地局装置２で行なう構成が制御の簡略化の観点から好適である。ただし、複数の周波数帯域が連続する周波数帯域であるなどの理由で、基地局装置２が一つの送信装置で複数の周波数帯域の送信を行なう構成であっても構わない。基地局装置２の送信装置によって制御される各周波数帯域の通信可能範囲はセルとしてみなされ、空間的に同一のエリアに存在する。このとき、各周波数帯域がカバーするエリア（セル）はそれぞれ異なる広さ、異なる形状であっても良い。
【００５６】
ただし、後述する記載において、基地局装置２が形成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。本発明でコンポーネントキャリアをセルと称することで、実際に運用される通信システムにおけるセルの定義と異なる場合が発生したとしても、本発明の主旨には影響しない。なお、移動局装置１は、リレー局装置（またはリピーター）を介して基地局装置２と無線接続されても良い。
【００５７】
[コンポーネントキャリアの構成の設定例]
図１５は、本発明の実施形態に係る移動局装置１がキャリア・アグリゲーションを行なう場合に、基地局装置２が移動局装置１に対して設定する下りリンクコンポーネントキャリアと、上りリンクコンポーネントキャリアの対応関係の一例を示した図である。図１５中の下りリンクコンポーネントキャリアＤＬ＿ＣＣ１と上りリンクコンポーネントキャリアＵＬ＿ＣＣ１、及び下りリンクコンポーネントキャリアＤＬ＿ＣＣ２と下りリンクコンポーネントキャリアＤＬ＿ＣＣ３と上りリンクコンポーネントキャリアＵＬ＿ＣＣ２はセル固有接続（Ｃｅｌｌ  Ｓｐｅｃｉｆｉｃ  Ｌｉｎｋａｇｅ）している。セル固有接続とは、例えば、移動局装置１がキャリア・アグリゲーションしていない場合に、基地局装置２にアクセス可能な上りリンクと下りリンクの周波数帯域の対応関係（連携関係）であり、典型的には報知情報でその対応関係が示される。上りリンクと下りリンクの周波数帯域の対応関係は、報知情報に周波数情報として明示的に指示されるか、または明示的に指示されない場合に運用周波数毎に一意に決められる上りリンクと下りリンクの規定の周波数差の情報を用いるなどして暗黙的に指示される。これらの方法に限らず、セル毎に上りリンクと下りリンクの周波数帯域の対応関係を示すことが可能であれば、これ以外の方法を用いて指示されても良い。一つのコンポーネントキャリアに複数のコンポーネントキャリアがセル固有接続していることもある。
【００５８】
これに対し、基地局装置２は、下りリンクコンポーネントキャリアと上りリンクコンポーネントキャリアの対応関係を、セル固有接続とは別に移動局装置１毎に個別に設定（個別接続；ＵＥ  Ｓｐｅｃｉｆｉｃ  Ｌｉｎｋａｇｅ）することも可能である。一つのコンポーネントキャリアに複数のコンポーネントキャリアが個別接続されることもある。図１５の場合、ある移動局装置１が無線接続される上りリンクコンポーネントキャリアＵＬ＿ＣＣ２に対し、３つの下りリンクコンポーネントキャリアＤＬ＿ＣＣ１〜ＤＬ＿ＣＣ３が対応しており、ＤＬ＿ＣＣ１とＵＬ＿ＣＣ２は個別接続されており、ＤＬ＿ＣＣ２とＤＬ＿ＣＣ３はＵＬ＿ＣＣ２にセル固有接続されている。この場合、移動局装置１はＤＬ＿ＣＣ１〜ＤＬ＿ＣＣ３で受信処理を行い、ＵＬ＿ＣＣ２で送信処理を行う。すなわち、ＤＬ＿ＣＣ１〜ＤＬ＿ＣＣ３とＵＬ＿ＣＣ２は、移動局装置１が基地局装置２との通信に用いる接続コンポーネントキャリアであり、ＵＬ＿ＣＣ１は、移動局装置１が基地局装置２との通信に用いない非接続コンポーネントキャリアである。
【００５９】
[移動局装置のレイヤ構成の設定例]
図１６は、移動局装置における、ＲＲＣ（ＲＲＣレイヤ）とＭＡＣ（ＭＡＣレイヤ）、物理レイヤのレイヤ構成（プロトコルスタック）とレイヤ間インターフェースの一例を示したものである。ＲＲＣはＭＡＣと物理レイヤの上位レイヤであり、ＭＡＣはＲＲＣの下位レイヤであり、物理レイヤの上位レイヤである。各レイヤ間は、制御インターフェースＰ１〜Ｐ３と、データインターフェースＰ４〜Ｐ５を用いて接続されている。ＲＲＣ−物理レイヤ間制御インターフェースＰ１は、ＲＲＣから物理レイヤへ制御パラメータを設定するためや、物理レイヤからＲＲＣへ下りリンク同期誤りを通知するために使用される。ＲＲＣ−ＭＡＣ間制御インターフェースＰ２は、ＲＲＣからＭＡＣへ制御パラメータを設定するためや、ＭＡＣからＲＲＣへランダムアクセス問題を通知するために使用される。
【００６０】
ＭＡＣ−物理レイヤ間制御インターフェースＰ３は、ＭＡＣから物理レイヤへ制御パラメータを設定するために用いられる。また、ＭＡＣ−物理レイヤ間データインターフェースＰ４はＭＡＣから物理レイヤへ送信データを通知するためや、物理レイヤからＭＡＣへ受信データを通知するために用いられる。ＲＲＣ−ＭＡＣ間データインターフェースＰ５は、ＲＲＣからＭＡＣへ送信データを通知するためや、ＭＡＣからＲＲＣへ受信データを通知するために用いられる。なお、実際の移動局装置の構成として、ＲＲＣとＭＡＣの間にＲＬＣ（Ｒａｄｉｏ  Ｌｉｎｋ  Ｃｏｎｔｒｏｌ）やＰＤＣＰ（Ｐａｃｋｅｔ  Ｄａｔａ  Ｃｏｎｖｅｒｇｅｎｃｅ  Ｐｒｏｔｏｃｏｌ）などのデータ制御機能をもつエンティティやサブレイヤが含まれる場合があるが、その場合であっても本発明の主旨には影響しない。
【００６１】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判定される場合には、その詳細な説明を省略する。
【００６２】
＜第１の実施形態＞
本発明の第１の実施形態について以下に説明する。本実施形態は、キャリア・アグリゲーション中の移動局装置１が検出した無線リンク問題に伴うコンポーネントキャリアの無線リンク状態の管理方法に関する。
【００６３】
図１は、本発明の実施形態に係る移動局装置１の一例を示すブロック図である。本移動局装置１は、受信部１０１、復調部１０２、復号部１０３、測定処理部１０４、制御部１０５、ランダムアクセス処理部１０６、符号部１０７、変調部１０８、送信部１０９、上位レイヤ１１０から構成される。受信に先立ち、上位レイヤ１１０より制御部１０５へ移動局装置制御情報が入力され、受信に関する移動局装置制御情報が受信制御情報として、受信部１０１、復調部１０２、復号部１０３、測定処理部１０４へ適切に入力される。受信制御情報は、受信スケジュール情報として、復調情報、復号化情報、受信周波数帯域の情報、各チャネルに関する受信タイミング、多重方法、無線リソース配置情報などの情報が含まれている。
【００６４】
受信信号は、受信部１０１において受信される。受信部１０１は、受信制御情報で通知された周波数帯域で信号を受信する。受信信号は復調部１０２へと入力される。復調部１０２は、受信信号を復調して復号部１０３へと受信信号を入力する。復号部１０３は、受信制御情報に基づき受信信号を正しく復号する。復号部１０３は、受信信号を下りリンクトラフィックデータと下りリンク制御データに適切に分離し、それぞれ上位レイヤ１１０へ入力する。また、復号部１０３は測定に関する復号した受信信号を測定処理部１０４へ入力する。測定処理部１０４は、セル毎の下りリンクリファレンスシグナルの受信品質の測定処理や、下りリンク制御チャネルまたは下りリンクデータチャネルの受信誤り率の測定処理を行ない、測定した受信品質をサンプル毎に平均化（フィルタリング）した下りリンク測定情報を生成し、下りリンク測定情報を上位レイヤ１１０へ出力する。また、測定処理部１０４は、得られた受信品質と下りリンク同期誤りの検出に用いる閾値（Ｑｏｕｔとも呼ばれる）とを比較し、必要に応じて下りリンク同期誤りを上位レイヤ１１０へ出力する。
【００６５】
また、送信に先立ち、上位レイヤ１１０より制御部１０５へ移動局装置制御情報が入力され、送信に関する移動局装置制御情報が送信制御情報として、ランダムアクセス処理部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス処理部１０６には、上位レイヤ１１０からランダムアクセスの無線リソース情報や最大送信回数などのランダムアクセスチャネルの送信に必要なランダムアクセス情報が入力される。また、ランダムアクセス処理部１０６は、ランダムアクセスチャネルの送信回数をカウントすることで、ランダムアクセス問題を検出した場合、ランダムアクセス問題が発生したことを示すランダムアクセス問題情報を上位レイヤ１１０へ通知する。符号部１０７には、上位レイヤ１１０より上りリンクトラフィックデータと上りリンク制御データ、ランダムアクセス処理部１０６からランダムアクセスデータとが入力される。符号部１０７は送信制御情報に従い、各データを適切に符号化し、変調部１０８に出力する。変調部１０８は、符号部１０７からの入力を変調する。
【００６６】
送信部１０９は、変調部１０８の出力を周波数領域にマッピングすると共に、周波数領域の信号を時間領域の信号へ変換し、既定の周波数の搬送波にのせて電力増幅を行なうと共に送信する。上りリンク制御データが配置される上りリンクデータチャネルは、典型的にはレイヤ３メッセージ（無線リソース制御メッセージ；ＲＲＣメッセージ）を構成する。移動局装置１のＲＲＣは上位レイヤ１１０の一部として存在する。ＲＲＣは、更に周波数帯域の状態を示す無線リンク状態を複数の周波数帯域毎に管理するサブブロックである無線リンク状態管理部（図示せず）を備えている。また、ランダムアクセス処理部１０６は、移動局装置１のＭＡＣの一部として存在する。図１において、その他の移動局装置１の構成要素は本実施形態に関係ないため省略してある。
【００６７】
図２は、本発明の実施形態による基地局装置２の一例を示すブロック図である。本基地局装置２は、受信部２０１、復調部２０２、復号部２０３、制御部２０４、符号部２０５、変調部２０６、送信部２０７、ネットワーク信号処理部２０８、周辺情報管理部２０９、上位レイヤ２１０から構成される。
【００６８】
上位レイヤ２１０は、下りリンクトラフィックデータと下りリンク制御データを符号部２０５へ入力する。符号部２０５は、入力された各データを符号化し、変調部２０６へ入力する。変調部２０６は、符号化した信号の変調を行なう。また、変調部２０６において、変調された信号に対して下りリンクリファレンスシグナルが多重され、周波数領域にマッピングされる。送信部２０７は、変調部２０６から出力された周波数領域の信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣメッセージ）を構成する。
【００６９】
また、受信部２０１は、移動局装置１からの受信信号をベースバンドのディジタル信号に変換する。ディジタル信号は、復調部２０２へ入力されて復調される。復調部２０２で復調された信号は続いて復号部２０３へ入力されて復号される。復号部２０３は、受信信号を上りリンクトラフィックデータと上りリンク制御データに適切に分離し、それぞれ上位レイヤ２１０へ入力する。
【００７０】
これら各ブロックの制御に必要な基地局装置制御情報は、上位レイヤ２１０より制御部２０４へ入力され、制御部２０４より送信に関連する基地局装置制御情報は送信制御情報として、符号部２０５、変調部２０６、送信部２０７の各ブロックに、受信に関連する基地局装置制御情報は受信制御情報として、受信部２０１、復調部２０２、復号部２０３の各ブロックに適切に入力される。
【００７１】
一方、ネットワーク信号処理部２０８は、基地局装置２間あるいは制御局装置（またはゲートウェイ装置）と基地局装置２との間の制御メッセージの送信または受信を行なう。制御メッセージはネットワーク回線を経由して送受信される。周辺情報管理部２０９は、送信先または送信元の基地局装置２（または制御局装置、ゲートウェイ装置）を特定するためのネットワーク情報を管理する。ネットワーク情報は、例えばトラッキングエリア識別子（TAI）、セルグローバル識別子（CGI）、セル識別子（PCI）、ネットワークカラーコード、インターネットプロトコルアドレス（ＩＰアドレス）などの各装置のネットワーク上でのアドレスを特定可能な情報から構成される。
【００７２】
周辺情報管理部２０９は、必要に応じてネットワーク信号処理部２０８にネットワーク情報を提供する。ネットワーク信号処理部２０８と周辺情報管理部２０９は上位レイヤが管理する。基地局装置２のＲＲＣは、上位レイヤ２１０の一部として存在する。図２において、その他の基地局装置２の構成要素は本実施形態に関係ないため省略してある。
【００７３】
続いて、本実施形態の移動局装置１が行なう無線リンク問題を検出した場合の周波数帯域毎の無線リンク状態管理方法について、図３から図１２までの図を用いて説明を行なう。以下に示す無線リンク状態管理は、移動局装置１の無線リンク状態管理部で行なわれる。
【００７４】
移動局装置１は、物理レイヤ問題を基地局装置２から設定された全ての下りリンクコンポーネントキャリア、または下りリンク制御チャネル（ＰＤＣＣＨ）の監視を行なう下りリンクコンポーネントキャリア毎、または下りリンク状態判定情報（下りリンク同期誤りの最大許容回数や状態遷移の判定に使用する各タイマーなど）が設定された下りリンクコンポーネントキャリア毎に判定する。移動局装置１は、下りリンク状態判定情報が設定された下りリンクコンポーネントキャリアの無線リンク状態（下りリンク状態）を管理する。また、移動局装置１は、ランダムアクセス問題を、ランダムアクセス情報（最大送信回数など）が設定された少なくとも一つ以上の複数の上りリンクコンポーネントキャリア毎に判定する。移動局装置１は、ランダムアクセス情報が設定された上りリンクコンポーネントキャリアの無線リンク状態（上りリンク状態）を管理する。移動局装置１は、ランダムアクセス情報が設定されていない上りリンクコンポーネントキャリアではランダムアクセス問題を検出する必要はない。
【００７５】
なお、以降の説明において、下りリンクコンポーネントキャリアで検出された物理レイヤ問題のことをＤＬ＿ＣＣ  ｆａｉｌｕｒｅ（下りリンクコンポーネントキャリア障害）と称する。また、上りリンクコンポーネントキャリアで検出されたランダムアクセス問題のことをＵＬ＿ＣＣ  ｆａｉｌｕｒｅ（上りリンクコンポーネントキャリア障害）と称する。
【００７６】
基地局装置２は、移動局装置１に対して、下りリンクコンポーネントキャリア毎に物理レイヤ問題の検出に用いる下りリンク状態判定情報を設定することも出来る。典型的には、基地局装置２は、移動局装置１に下りリンク制御チャネルの監視を指示した下りリンクコンポーネントキャリアに対してのみ下りリンク状態判定情報を設定する。また、基地局装置２は、移動局装置１に対して、上りリンクコンポーネントキャリア毎にランダムアクセス情報を設定することも出来る。典型的には、基地局装置２は、移動局装置１に設定した上りリンク送信タイミングが異なる上りリンクコンポーネントキャリアのグループ毎に、少なくとも一つの上りリンクコンポーネントキャリアに対してランダムアクセス情報を設定する。
【００７７】
図３は、移動局装置１がキャリア・アグリゲーションによってコンポーネントキャリアを複数設定されている場合に、ある下りリンクコンポーネントキャリアで無線リンク問題が発生した場合におけるコンポーネントキャリア毎の無線リンクの状態管理方法について説明するための図である。
【００７８】
図３において、移動局装置１は、基地局装置２よりキャリア・アグリゲーションとして下りリンクコンポーネントキャリアＤＬ＿ＣＣ１と下りリンクコンポーネントキャリアＤＬ＿ＣＣ２、上りリンクコンポーネントキャリアＵＬ＿ＣＣ１と上りリンクコンポーネントキャリアＵＬ＿ＣＣ２が設定されている。また、ＤＬ＿ＣＣ１とＵＬ＿ＣＣ１、ＤＬ＿ＣＣ２とＵＬ＿ＣＣ２がそれぞれセル固有接続されている。
【００７９】
図３に戻り、移動局装置１がＤＬ＿ＣＣ１でＤＬ＿ＣＣ  ｆａｉｌｕｒｅの発生を検出した場合、ＵＬ＿ＣＣ１に関するランダムアクセス手順や送信電力調整は連携するＤＬ＿ＣＣ１の受信品質に基づくため、ＤＬ＿ＣＣ１でＤＬ＿ＣＣ  ｆａｉｌｕｒｅが発生した場合に、ＵＬ＿ＣＣ１で送信を継続するためには従来と異なる複雑で特別な制御が必要となる。そこで、本実施形態の移動局装置１は、これら特別な制御を行わないようにするために、ＤＬ＿ＣＣ１とセル固有接続されているＵＬ＿ＣＣ１に対してＵＬ＿ＣＣ  ｆａｉｌｕｒｅを設定する。すなわち、ＤＬ＿ＣＣ１で物理レイヤ問題が発生したことを検出したＲＲＣは、ＤＬ＿ＣＣ１に対応するＵＬ＿ＣＣ１の無線リンク状態を更新する。なお、移動局装置１は、ＤＬ＿ＣＣ１とセル固有接続されていないＤＬ＿ＣＣ２やＵＬ＿ＣＣ２について無線リンク状態を更新する必要はない。
【００８０】
図３に例示した場合において、移動局装置１が行なう各コンポーネントキャリアの無線リンク状態の管理方法について図４を用いて更に説明を行なう。
【００８１】
図４は、移動局装置１が管理するコンポーネントキャリア毎の無線リンク状態の時間の経過に伴う状態遷移の方法を示した図である。図の一段目はＤＬ＿ＣＣ１の受信品質、二段目はＤＬ＿ＣＣ１の無線リンク状態、三段目はＵＬ＿ＣＣ１の無線リンク状態を示している。上段のＤＬ＿ＣＣ１の受信品質は品質Ａと品質Ｂに分けられる。品質Ａとは、下りリンクの受信品質が閾値Ｑｏｕｔよりも高く、下りリンク同期誤りが物理レイヤで検出されていない状態である。一方、品質Ｂとは、受信品質が閾値Ｑｏｕｔよりも低く、下りリンク同期誤りが物理レイヤで検出されている状態を表す。
【００８２】
移動局装置１は、ＤＬ＿ＣＣ１の受信品質が品質Ａの状態にあるとき、ＤＬ＿ＣＣ１の無線リンク状態を同期区間として管理している。また、移動局装置１は、ＵＬ＿ＣＣ１の無線リンク状態をランダムアクセス有効区間として管理している。ランダムアクセス有効区間とは、ランダムアクセス送信に用いる無線リソース（ランダムアクセス情報）が有効な区間であり、移動局装置１が必要に応じてランダムアクセスを任意のタイミングで送信可能な状態であることを示している。ランダムアクセス有効区間は、タイマーを用いることによって更に送信タイミング調整情報が有効な区間（送信タイミング調整状態）と、送信タイミング調整情報が無効な区間（送信タイミング非調整状態）とに区分できるが、図中では省略している。
【００８３】
ここで、あるタイミングＴ４１において、ＤＬ＿ＣＣ１の受信品質が劣化して品質Ｂとなった場合、移動局装置１は、物理レイヤから下りリンク同期誤りをＲＲＣへ通知し、ＤＬ＿ＣＣ１の無線リンク状態を誤り検出区間に遷移させる。移動局装置１は、一定回数連続して下りリンク同期誤りが物理レイヤから通知されたとき、または一定時間連続して下りリンク同期誤りが物理レイヤから通知されたとき（タイミングＴ４２）、無線リンク問題（物理レイヤ問題）が発生したと判断し、ＤＬ＿ＣＣ１の無線リンク状態を受信品質の回復を待つ同期保護区間へと遷移させ、同時に同期保護区間を計時する同期保護タイマーを起動する。
【００８４】
同期保護タイマーが満了しても下りリンクチャネルの受信品質が回復しない場合（タイミングＴ４３）、移動局装置１はＤＬ＿ＣＣ１がＤＬ＿ＣＣ  ｆａｉｌｕｒｅに至ったと判定する。このとき、移動局装置１は、ＤＬ＿ＣＣ１の無線リンク状態をＤＬ＿ＣＣ  ｆａｉｌｕｒｅ区間に遷移させる。ＤＬ＿ＣＣ  ｆａｉｌｕｒｅ区間とは、当該コンポーネントキャリアで受信される下りリンクのデータを無効とみなす区間である。ＤＬ＿ＣＣ  ｆａｉｌｕｒｅ区間において、移動局装置１は下りリンク制御チャネルの監視を停止しても良い。また、ＤＬ＿ＣＣ１とセル固有接続しているＵＬ＿ＣＣ１に対してもＵＬ＿ＣＣ  ｆａｉｌｕｒｅが発生したとみなし、ＵＬ＿ＣＣ１に対してＵＬ＿ＣＣ  ｆａｉｌｕｒｅ設定を行なうと共にＵＬ＿ＣＣ１の無線リンク状態をランダムアクセス無効区間に遷移させる。
【００８５】
ランダムアクセス無効区間とは、ランダムアクセス送信のための無線リソースを無効とみなす区間である。移動局装置１は、無線リンク状態がランダムアクセス無効区間である上りリンクコンポーネントキャリアでランダムアクセスチャネルを送信することは出来ない。なお、移動局装置１は、無線リンク状態がランダムアクセス無効区間である上りリンクコンポーネントキャリアでランダムアクセスチャネル以外の全ての上りリンクチャネルの無線リソースが無効とみなし、全ての送信が禁止されることに注意する。移動局装置１は、ＵＬ＿ＣＣ１の無線リンク状態を更新すると同時に、上りリンクコンポーネントキャリア（ＵＬ＿ＣＣ１）のランダムアクセスチャネル、及びその他の上りリンクチャネルの無線リソース設定の解放（リリース）を通知しても良い。この無線リソース設定の解放は、ＲＲＣからＭＡＣへ通知される。
【００８６】
図５は、移動局装置１がキャリア・アグリゲーションによってコンポーネントキャリアを複数設定されている場合に、ある下りリンクコンポーネントキャリアで無線リンク問題が発生した場合における各コンポーネントキャリアの無線リンクの状態管理方法について説明するための別の図である。
【００８７】
図５において、移動局装置１は、基地局装置２よりキャリア・アグリゲーションとして下りリンクコンポーネントキャリアＤＬ＿ＣＣ１と下りリンクコンポーネントキャリアＤＬ＿ＣＣ２、上りリンクコンポーネントキャリアＵＬ＿ＣＣ２が設定されている。また、ＤＬ＿ＣＣ１とＵＬ＿ＣＣ２が個別接続されており、ＤＬ＿ＣＣ２とＵＬ＿ＣＣ２がセル固有接続されている。
【００８８】
このとき、移動局装置１がＤＬ＿ＣＣ１でＤＬ＿ＣＣ  ｆａｉｌｕｒｅの発生を検出した場合、移動局装置１はＤＬ＿ＣＣ１とセル固有接続されている上りリンクコンポーネントキャリアが設定されていないため、ＤＬ＿ＣＣ１以外のコンポーネントキャリアの無線リンク状態を更新する必要はない。すなわち、移動局装置１はＤＬ＿ＣＣ１とセル固有接続されていないＤＬ＿ＣＣ２やＵＬ＿ＣＣ２の無線リンク状態を更新しない。
【００８９】
図６は、移動局装置１がキャリア・アグリゲーションによってコンポーネントキャリアを複数設定されている場合であって、複数のセル固有接続を持つコンポーネントキャリアとセル固有接続されている下りリンクコンポーネントキャリアで無線リンク問題が発生した場合における各コンポーネントキャリアの無線リンクの状態管理方法について説明するための図である。
【００９０】
図６において、移動局装置１は、基地局装置２よりキャリア・アグリゲーションとして下りリンクコンポーネントキャリアＤＬ＿ＣＣ１と下りリンクコンポーネントキャリアＤＬ＿ＣＣ２、上りリンクコンポーネントキャリアＵＬ＿ＣＣ１が設定されている。また、ＤＬ＿ＣＣ１とＵＬ＿ＣＣ１がセル固有接続されており、更にＤＬ＿ＣＣ２とＵＬ＿ＣＣ１がセル固有接続されている。すなわち、ＵＬ＿ＣＣ１は複数のセル固有接続を持つ。
【００９１】
このとき、移動局装置１がＤＬ＿ＣＣ１でＤＬ＿ＣＣ  ｆａｉｌｕｒｅの発生を検出した場合、移動局装置１はＤＬ＿ＣＣ１とセル固有接続されているＵＬ＿ＣＣ１に対してＵＬ＿ＣＣ  ｆａｉｌｕｒｅを設定する。また、同時にＵＬ＿ＣＣ１とセル固有接続されているＤＬ＿ＣＣ２に対しても同様にＤＬ＿ＣＣ  ｆａｉｌｕｒｅを設定する。すなわち、ＤＬ＿ＣＣ１で物理レイヤ問題が発生したことを検出したＲＲＣは、ＤＬ＿ＣＣ１に対応するＵＬ＿ＣＣ１の無線リンク状態と、ＤＬ＿ＣＣ２の無線リンク状態を共に更新する。
【００９２】
図６に例示した場合において、移動局装置１が行なう各コンポーネントキャリアの無線リンク状態の管理方法について図７を用いて更に説明を行なう。
【００９３】
図７は、移動局装置１が管理するコンポーネントキャリア毎の無線リンク状態の時間の経過に伴う状態遷移の方法を示した図である。図の一段目はＤＬ＿ＣＣ１の受信品質、二段目はＤＬ＿ＣＣ１の無線リンク状態、三段目はＵＬ＿ＣＣ１の無線リンク状態、四段目はＤＬ＿ＣＣ２の無線リンク状態をそれぞれ示している。
【００９４】
移動局装置１は、ＤＬ＿ＣＣ１の受信品質が品質Ａの状態にあるとき、ＤＬ＿ＣＣ１の無線リンク状態を同期区間として管理している。また、移動局装置１は、ＵＬ＿ＣＣ１の無線リンク状態をランダムアクセス有効区間として管理している。ＤＬ＿ＣＣ２の無線リンク状態は任意で構わないが、説明の簡略化のために同期区間であるとする。
【００９５】
ここで、あるタイミングＴ７１において、ＤＬ＿ＣＣ１の受信品質が劣化して品質Ｂとなった場合、移動局装置１は、物理レイヤから下りリンク同期誤りをＲＲＣへ通知し、ＤＬ＿ＣＣ１の無線リンク状態を誤り検出区間に遷移させる。移動局装置１は、一定回数連続して下りリンク同期誤りが物理レイヤから通知されたとき、または一定時間連続して下りリンク同期誤りが物理レイヤから通知されたとき（タイミングＴ７２）、無線リンク問題（物理レイヤ問題）が発生したと判断し、ＤＬ＿ＣＣ１の無線リンク状態を受信品質の回復を待つ同期保護区間へと遷移させ、同時に同期保護区間を計時する同期保護タイマーを起動する。タイミングＴ７１及びタイミングＴ７２において、ＵＬ＿ＣＣ１またはＤＬ＿ＣＣ２の無線リンク状態は、ＤＬ＿ＣＣ１の無線リンク状態の変更に影響されない。
【００９６】
同期保護タイマーが満了しても下りリンクチャネルの受信品質が回復しない場合、移動局装置１は、ＤＬ＿ＣＣ１がＤＬ＿ＣＣ  ｆａｉｌｕｒｅに至ったと判定する（タイミングＴ７３）。このとき、移動局装置１は、ＤＬ＿ＣＣ１の無線リンク状態をＤＬ＿ＣＣ  ｆａｉｌｕｒｅ区間に遷移させると共に、ＤＬ＿ＣＣ１とセル固有接続しているＵＬ＿ＣＣ１に対してもＵＬ＿ＣＣ  ｆａｉｌｕｒｅが発生したとみなし、ＵＬ＿ＣＣ１に対してＵＬ＿ＣＣ  ｆａｉｌｕｒｅ設定を行ない、ＵＬ＿ＣＣ１の無線リンク状態をランダムアクセス無効区間に遷移させる。更に、同じタイミングＴ７３において、移動局装置１は、ＵＬ＿ＣＣ１を介してＤＬ＿ＣＣ１とセル固有接続しているＤＬ＿ＣＣ２に対してもＤＬ＿ＣＣ  ｆａｉｌｕｒｅが発生したとみなし、ＤＬ＿ＣＣ２に対してＤＬ＿ＣＣ  ｆａｉｌｕｒｅ設定を行ない、ＤＬ＿ＣＣ２の無線リンク状態をＤＬ＿ＣＣ  ｆａｉｌｕｒｅ区間に遷移させる。
【００９７】
このように、移動局装置１はＤＬ＿ＣＣ  ｆａｉｌｕｒｅが発生した下りリンクコンポーネントキャリアに関し、セル固有接続されている上りリンクコンポーネントキャリアをＵＬ＿ＣＣ  ｆａｉｌｕｒｅに設定する一方、個別接続されている上りリンクコンポーネントキャリアの無線リンク状態は変更しない。更に、ＵＬ＿ＣＣ  ｆａｉｌｕｒｅに設定した上りリンクコンポーネントキャリアに、別の下りリンクコンポーネントキャリアがセル固有接続されていた場合、当該下りリンクコンポーネントキャリアをＤＬ＿ＣＣ  ｆａｉｌｕｒｅに設定する。よって、移動局装置１は、コンポーネントキャリアに関する無線リンク状態管理を、コンポーネントキャリア毎に完全に別々に行うのではなく、セル固有接続されたコンポーネントキャリアを一つのグループとして管理すればよい。
【００９８】
図８は、移動局装置１がキャリア・アグリゲーションによってコンポーネントキャリアを複数設定されている場合に、ある上りリンクコンポーネントキャリアで無線リンク問題が発生した場合における各コンポーネントキャリアの無線リンクの状態管理方法について説明するための別の図である。図８のコンポーネントキャリアの設定は図５と同じである。
【００９９】
このとき、移動局装置１がＵＬ＿ＣＣ２でＵＬ＿ＣＣ  ｆａｉｌｕｒｅの発生を検出した場合、ＤＬ＿ＣＣ２に関する送信データの再送手順などは連携するＵＬ＿ＣＣ２で行われるため、ＵＬ＿ＣＣ２でＵＬ＿ＣＣ  ｆａｉｌｕｒｅが発生した場合に、ＤＬ＿ＣＣ２で受信を継続するためには従来と異なる複雑で特別な制御が必要となる。そこで、本実施形態の移動局装置１は、これら特別な制御を行わないようにするために、ＵＬ＿ＣＣ２とセル固有接続されているＤＬ＿ＣＣ２に対してＤＬ＿ＣＣ  ｆａｉｌｕｒｅを設定する。その他のコンポーネントキャリアは、ＵＬ＿ＣＣ２とセル固有接続されていないため、他のコンポーネントキャリアの無線リンク状態を更新する必要はない。すなわち、ＵＬ＿ＣＣ２でランダムアクセス問題が発生したことをＭＡＣから通知されたＲＲＣは、ＵＬ＿ＣＣ２に対応するＤＬ＿ＣＣ２の無線リンク状態を更新する。
【０１００】
図８に例示した場合において、移動局装置１が行なう各コンポーネントキャリアの無線リンク状態の管理方法について図９を用いて更に説明を行なう。
【０１０１】
図９は、移動局装置１が管理するコンポーネントキャリア毎の無線リンク状態の時間の経過に伴う状態遷移の方法を示した図である。図の一段目は上りリンクコンポーネントキャリアＵＬ＿ＣＣ２のランダムアクセスの状態、二段目はＵＬ＿ＣＣ２の無線リンク状態、三段目はＤＬ＿ＣＣ２の無線リンク状態をそれぞれ示している。
【０１０２】
移動局装置１は、ＵＬ＿ＣＣ２で行なうランダムアクセスの状態を管理している。ＵＬ＿ＣＣ２の無線リンク状態はランダムアクセス有効区間とする。また、ＤＬ＿ＣＣ２の無線リンク状態は同期区間とする。ＤＬ＿ＣＣ１の無線リンク状態はＵＬ＿ＣＣ１またはＤＬ＿ＣＣ２の無線リンク状態と無関係であるため、図及び説明を省略する。
【０１０３】
ここで、あるタイミングＴ９１において、移動局装置１がランダムアクセスを開始したとする。ランダムアクセスの開始理由は問わない。このとき、移動局装置１は、ＵＬ＿ＣＣ２のランダムアクセスの状態をランダムアクセス再送区間へと遷移させる。ランダムアクセス再送区間とは、ランダムアクセスが開始されているが、ランダムアクセスが成功していない状態であり、ランダムアクセスの試行回数がカウントされる。移動局装置１は、タイミングＴ９１でＵＬ＿ＣＣ２及びＤＬ＿ＣＣ２の無線リンク状態を更新する必要はない。移動局装置１は、ランダムアクセスの試行回数が所定の回数に達したときにＵＬ＿ＣＣ２でランダムアクセス問題が発生したとみなし、ＭＡＣからランダムアクセス問題をＲＲＣへ通知する。ＭＡＣからランダムアクセス問題を通知された移動局装置１は、ＵＬ＿ＣＣ２に対してＵＬ＿ＣＣ  ｆａｉｌｕｒｅを設定する（タイミングＴ９２）。
【０１０４】
移動局装置１は、同じタイミングＴ９２において、ＵＬ＿ＣＣ２の無線リンク状態をランダムアクセス無効区間に遷移させる。また、移動局装置１は、タイミングＴ９２においてＵＬ＿ＣＣ２とセル固有接続しているＤＬ＿ＣＣ２に対してＤＬ＿ＣＣ  ｆａｉｌｕｒｅが発生したとみなし、ＤＬ＿ＣＣ２に対してＤＬ＿ＣＣ  ｆａｉｌｕｒｅ設定を行ない、ＤＬ＿ＣＣ２の無線リンク状態をＤＬ＿ＣＣ  ｆａｉｌｕｒｅ区間に遷移させる。
【０１０５】
図１０は、移動局装置１がキャリア・アグリゲーションによってコンポーネントキャリアを複数設定されている場合であって、複数のセル固有接続を持つ上りリンクコンポーネントキャリアで無線リンク問題が発生した場合における各コンポーネントキャリアの無線リンクの状態管理方法について説明するための図である。図１０のコンポーネントキャリアの設定は図６と同じである。
【０１０６】
このとき、移動局装置１がＵＬ＿ＣＣ１でＵＬ＿ＣＣ  ｆａｉｌｕｒｅの発生を検出した場合、移動局装置１はＵＬ＿ＣＣ１とセル固有接続されているＤＬ＿ＣＣ１に対してＤＬ＿ＣＣ  ｆａｉｌｕｒｅを設定する。また、同時にＵＬ＿ＣＣ１とセル固有接続されているＤＬ＿ＣＣ２に対しても同様にＤＬ＿ＣＣ  ｆａｉｌｕｒｅを設定する。すなわち、ＵＬ＿ＣＣ１でランダムアクセス問題が発生したことをＭＡＣから通知されたＲＲＣは、ＵＬ＿ＣＣ１に対応するＤＬ＿ＣＣ１の無線リンク状態と、ＤＬ＿ＣＣ２の無線リンク状態を共に更新する。
【０１０７】
図１０に例示した場合において、移動局装置１が行なう各コンポーネントキャリアの無線リンク状態の管理方法について図１１を用いて更に説明を行なう。
【０１０８】
図１１は、移動局装置１が管理するコンポーネントキャリア毎の無線リンク状態の時間の経過に伴う状態遷移の方法を示した図である。図の一段目は上りリンクコンポーネントキャリアＵＬ＿ＣＣ１のランダムアクセスの状態、二段目はＵＬ＿ＣＣ１の無線リンク状態、三段目はＤＬ＿ＣＣ１の無線リンク状態、四段目はＤＬ＿ＣＣ２の無線リンク状態をそれぞれ示している。
【０１０９】
移動局装置１は、ＵＬ＿ＣＣ１で行なうランダムアクセスの状態を管理している。ＵＬ＿ＣＣ１の無線リンク状態はランダムアクセス有効区間とする。また、ＤＬ＿ＣＣ１及びＤＬ＿ＣＣ２の無線リンク状態は同期区間とする。
【０１１０】
ここで、あるタイミングＴ１１１において、移動局装置１がランダムアクセスを開始したとする。ランダムアクセスの開始理由は問わない。このとき、移動局装置１は、ＵＬ＿ＣＣ２のランダムアクセスの状態をランダムアクセス再送区間へと遷移させる。移動局装置１は、タイミングＴ１１１でＵＬ＿ＣＣ１、ＤＬ＿ＣＣ１及びＤＬ＿ＣＣ２の無線リンク状態を更新する必要はない。移動局装置１は、ランダムアクセスの試行回数が所定の回数に達したときにＵＬ＿ＣＣ１でランダムアクセス問題が発生したとみなし、ランダムアクセス問題をＭＡＣからＲＲＣへ通知する。ＭＡＣからランダムアクセス問題を通知された移動局装置１は、ＵＬ＿ＣＣ１に対してＵＬ＿ＣＣ  ｆａｉｌｕｒｅを設定する（タイミングＴ１１２）。
【０１１１】
移動局装置１は、同じタイミングＴ１１２において、ＵＬ＿ＣＣ１の無線リンク状態をランダムアクセス無効区間に遷移させる。また、移動局装置１は、タイミングＴ１１２においてＵＬ＿ＣＣ１とセル固有接続しているＤＬ＿ＣＣ１及びＤＬ＿ＣＣ２に対してＤＬ＿ＣＣ  ｆａｉｌｕｒｅが発生したとみなし、ＤＬ＿ＣＣ１とＤＬ＿ＣＣ２の両方に対してＤＬ＿ＣＣ  ｆａｉｌｕｒｅ設定を行ない、ＤＬ＿ＣＣ１とＤＬ＿ＣＣ２の無線リンク状態をＤＬ＿ＣＣ  ｆａｉｌｕｒｅ区間に遷移させる。
【０１１２】
図１２は、移動局装置１がキャリア・アグリゲーションによってコンポーネントキャリアを複数設定されている場合であって、ある下りリンクコンポーネントキャリアが特定の移動局装置１のみに有効な拡張セル固有接続を持つ場合に、当該下りリンクコンポーネントキャリアで無線リンク問題が発生した場合における各コンポーネントキャリアの無線リンクの状態管理方法について説明するための図である。
【０１１３】
図１２において、移動局装置１は、基地局装置２よりキャリア・アグリゲーションとして下りリンクコンポーネントキャリアＤＬ＿ＣＣ１と上りリンクコンポーネントキャリアＵＬ＿ＣＣ１、上りリンクコンポーネントキャリアＵＬ＿ＣＣ２が設定されている。また、ＤＬ＿ＣＣ１とＵＬ＿ＣＣ１がセル固有接続されており、更にＤＬ＿ＣＣ１とＵＬ＿ＣＣ２が拡張セル固有接続されている。拡張セル固有接続とは、例えば特定の移動局装置１（将来的にリリースされる機能拡張された移動局装置１など）に対してのみ有効なセル固有接続であり、特定の移動局装置１のみが受信可能な新規の報知情報や、特定の移動局装置１のみ有効な上りリンクと下りリンクの規定の周波数差の情報によって通知される。すなわち、ＤＬ＿ＣＣ１にアクセスした通常の移動局装置１はＤＬ＿ＣＣ１とＵＬ＿ＣＣ１のみがセル固有接続されていると認識するが、特定の移動局装置１は、上記に加えて、ＤＬ＿ＣＣ１とＵＬ＿ＣＣ２が拡張セル固有接続されていると認識する。特定の移動局装置１は、特定の移動局装置１のみ有効な新規の報知情報を受信すること、あるいは上りリンクと下りリンクの規定の周波数差の情報を保持すること以外は通常の移動局装置１と同じ構成で良い。
【０１１４】
このとき、通常の移動局装置１がＤＬ＿ＣＣ１でＤＬ＿ＣＣ  ｆａｉｌｕｒｅの発生を検出した場合の無線リンク状態管理方法は、図６や図８と同じで良いため詳細な説明を略す。
【０１１５】
一方、コンポーネントキャリア間の拡張セル固有接続を認識可能な特定の移動局装置１がＤＬ＿ＣＣ１でＤＬ＿ＣＣ  ｆａｉｌｕｒｅの発生を検出した場合、当該特定の移動局装置１はＤＬ＿ＣＣ１と拡張セル固有接続されているＵＬ＿ＣＣ２に対しては無線リンク状態を更新する必要ない。すなわち、当該特定の移動局装置１は、ＤＬ＿ＣＣ１と拡張セル固有接続されているＵＬ＿ＣＣ２の無線リンク状態を更新しない。
【０１１６】
このように、移動局装置１はＵＬ＿ＣＣ  ｆａｉｌｕｒｅが発生した上りリンクコンポーネントキャリアに関し、セル固有接続されている下りリンクコンポーネントキャリアをＤＬ＿ＣＣ  ｆａｉｌｕｒｅに設定する一方、個別接続されている下りリンクコンポーネントキャリアの無線リンク状態は変更しない。更に、ＤＬ＿ＣＣ  ｆａｉｌｕｒｅに設定した下りリンクコンポーネントキャリア以外の別の下りリンクコンポーネントキャリアがセル固有接続されていた場合、当該下りリンクコンポーネントキャリアをＤＬ＿ＣＣ  ｆａｉｌｕｒｅに設定する。よって、移動局装置１は、コンポーネントキャリアに関する無線リンク状態管理を、コンポーネントキャリア毎に完全に別々に行うのではなく、セル固有接続されたコンポーネントキャリアを一つのグループとして管理すればよい。
【０１１７】
ＤＬ＿ＣＣ  ｆａｉｌｕｒｅを検出した下りリンクコンポーネントキャリア、またはＵＬ＿ＣＣ  ｆａｉｌｕｒｅを検出した上りリンクコンポーネントキャリアとセル固有接続されている下りリンクコンポーネントキャリア、及び／または上りリンクコンポーネントキャリアの無線リンク状態を更新した結果、移動局装置１で無線リンク状態を管理している全ての下りリンクコンポーネントキャリアがＤＬ＿ＣＣ  ｆａｉｌｕｒｅに設定された場合、または移動局装置１で無線リンク状態を管理している全ての上りリンクコンポーネントキャリアがＵＬ＿ＣＣ  ｆａｉｌｕｒｅに設定された場合、移動局装置１は、無線リンク障害が発生したと判定し、無線リソース再確立手順を開始する。
【０１１８】
すなわち、移動局装置１のＲＲＣ（無線リンク状態管理部）は、全ての下りリンクコンポーネントキャリアの無線リンク状態をＤＬ＿ＣＣ  ｆａｉｌｕｒｅに設定した場合、または全ての上りリンクコンポーネントキャリアの無線リンク状態をＵＬ＿ＣＣ  ｆａｉｌｕｒｅに設定した場合に、無線リソース再確立手順を開始する。
【０１１９】
このように、第１の実施形態では、移動局装置１は、下りリンクコンポーネントキャリア毎に物理レイヤ問題の判定と検出を行なう。また、移動局装置１は、ランダムアクセスチャネルの設定のある上りリンクコンポーネントキャリア毎にランダムアクセス問題の判定と検出を行なう。そして、移動局装置１は、無線リンク状態管理の方法として、無線リンク問題（物理リンク問題またはランダムアクセス問題）を検出した場合に、当該無線リンク問題が発生したコンポーネントキャリアを起点として、セル固有接続されている全てのコンポーネントキャリアの無線リンク状態を更新する。下りリンクコンポーネントキャリアまたは上りリンクコンポーネントキャリアの無線リンク状態の更新は、移動局装置１のＲＲＣ（無線リンク状態管理部）で行なわれることが好適である。
【０１２０】
以上のように、移動局装置１は、キャリア・アグリゲーションによって複数のコンポーネントキャリアの無線リンク状態を管理する必要がある場合であっても、無線リンク問題の発生に伴い、どのコンポーネントキャリアの無線リンク状態を更新すれば良いかをコンポーネントキャリア間にセル固有接続があるか否かに応じて判断すれば良いため、無線リンク状態の管理が簡略化される。また、無線リンク問題をコンポーネントキャリア毎に独立して管理するのではなく、セル固有接続されたコンポーネントキャリア毎に管理することが可能となるため、管理方法が効率的となる。また、移動局装置１は、物理レイヤ問題が発生した場合に、対応する上りリンクで送信が行なわれなくなるため、物理レイヤ問題の発生時であっても、対応する上りリンクにおけるランダムアクセス手順や送信電力調整に複雑で特別な制御を行う必要がなくなる。また、移動局装置１は、ランダムアクセス問題が発生した場合に、対応する下りリンクで受信が行なわれなくなるため、ランダムアクセス問題の発生時であっても、対応する下りリンクで受信したデータの再送手順などに複雑で特別な制御を行う必要がなくなる。
【０１２１】
＜第２の実施形態＞
本発明の第２の実施形態について以下に説明する。本実施形態は、下りリンクコンポーネントキャリア、または上りリンクコンポーネントキャリアに対して特別なコンポーネントキャリアを設定し、キャリア・アグリゲーション中の移動局装置１が、当該コンポーネントキャリアで無線リンク問題が発生した場合のコンポーネントキャリアの無線リンク状態管理方法に関する。
【０１２２】
本実施形態に用いる移動局装置１と基地局装置２の構成は、それぞれ図１と図２と同じ構成で良いため説明を省略する。
【０１２３】
移動局装置１は、基地局装置２から設定された下りリンクコンポーネントキャリアのうち、一つを特別な下りリンクコンポーネントキャリアとして設定する。ここで、当該下りリンクコンポーネントキャリアのことを下りリンクアンカーキャリアと称する。下りリンクアンカーキャリアは、基地局装置２から移動局装置１に対して個別に設定されても良いし、移動局装置１に設定された下りリンクコンポーネントキャリアのうち、セキュリティ情報などに用いられる情報を提供する下りリンクコンポーネントキャリアとして設定されても良い。
【０１２４】
また、移動局装置１は、基地局装置２から設定された上りリンクコンポーネントキャリアのうち、一つを特別な上りリンクコンポーネントキャリアとして設定する。ここで、当該上りリンクコンポーネントキャリアのことを上りリンクアンカーキャリアと称する。上りリンクアンカーキャリアは、基地局装置２から移動局装置１に対して個別に設定されても良いし、移動局装置１に設定された上りリンクコンポーネントキャリアのうち、受信確認情報（ＡＣＫ／ＮＡＣＫ）などを送信するための上りリンク制御チャネルの設定がされている上りリンクコンポーネントキャリアとして設定されても良い。
【０１２５】
移動局装置１は、下りリンクアンカーキャリア、または上りリンクアンカーキャリアの両方、またはその一方が設定された場合であって、無線リンク問題の発生後に第１の実施形態に従いセル個別接続されているコンポーネントキャリアの無線リンク状態を更新した結果、下りリンクアンカーキャリアがＤＬ＿ＣＣ  ｆａｉｌｕｒｅ、または上りリンクアンカーキャリアがＵＬ＿ＣＣ  ｆａｉｌｕｒｅとなった場合、その他のコンポーネントキャリアの無線リンク状態に関わらず、全てのコンポーネントキャリアの無線リンク状態をＤＬ＿ＣＣ  ｆａｉｌｕｒｅまたはＵＬ＿ＣＣ  ｆａｉｌｕｒｅに更新して無線リンク障害が発生したと判定し、無線リソース再確立の手順を開始する。
【０１２６】
または、移動局装置１は、下りリンクアンカーキャリア、または上りリンクアンカーキャリアの両方、またはその一方が設定された場合であって、下りリンクアンカーキャリアで物理レイヤ問題が発生した場合、または上りリンクアンカーキャリアでランダムアクセス問題が発生した場合、その他のコンポーネントキャリアの無線リンク状態に関わらず、全てのコンポーネントキャリアの無線リンク状態をＤＬ＿ＣＣ  ｆａｉｌｕｒｅまたはＵＬ＿ＣＣ  ｆａｉｌｕｒｅに更新して無線リンク障害が発生したと判定し、無線リソース再確立の手順を開始する。
【０１２７】
このように、第２の実施形態では、移動局装置１は、下りリンクアンカーキャリアの物理レイヤ問題、または上りリンクアンカーキャリアのランダムアクセス問題の判定と検出を、他のコンポーネントキャリアとは別に行なう。そして、移動局装置１は、下りリンクアンカーキャリアまたは上りリンクアンカーキャリアで無線リンク問題（物理リンク問題またはランダムアクセス問題）を検出した場合に、その他全てのコンポーネントキャリアの無線リンク状態を更新する。下りリンクコンポーネントキャリアまたは上りリンクコンポーネントキャリアの無線リンク状態の更新は、移動局装置１のＲＲＣで行なわれることが好適である。
【０１２８】
以上のように、移動局装置１は、下りリンクアンカーキャリアまたは上りリンクアンカーキャリアを設定することによって、下りリンクアンカーキャリアがＤＬ＿ＣＣ  ｆａｉｌｕｒｅ、または上りリンクアンカーキャリアがＵＬ＿ＣＣ  ｆａｉｌｕｒｅとなった場合に、他のコンポーネントキャリアの無線リンク状態に関わらず無線リソース再確立の手順を開始すれば良いため、無線リンク状態の管理が更に簡略化される。
【０１２９】
なお、以上説明した実施形態は単なる例示に過ぎず、様々な変形例、置換例を用いて実現することができる。
【０１３０】
例えば、以上説明した実施形態におけるＤＬ＿ＣＣ  ｆａｉｌｕｒｅ、ＵＬ＿ＣＣ  ｆａｉｌｕｒｅは、それぞれＤＬ＿ＣＣ  Ｄｅａｃｔｉｖａｔｉｏｎ、ＵＬ＿ＣＣ  Ｄｅａｃｔｉｖａｔｉｏｎと関連して管理されても良い。ＤＬ＿ＣＣ  Ｄｅａｃｔｉｖａｔｉｏｎとは、基地局装置２から下りリンクコンポーネントキャリアで受信処理を行うために必要な情報が設定されているが、移動局装置１において少なくとも下りリンクデータチャネルの受信処理を行わない状態である。ＵＬ＿ＣＣ  Ｄｅａｃｔｉｖａｔｉｏｎとは、基地局装置２から上りリンクコンポーネントキャリアで送信処理を行うために必要な情報が設定されているが、移動局装置１において少なくとも上りリンクデータチャネルの送信処理を行わない状態である。
【０１３１】
すなわち、コンポーネントキャリアそれぞれは、ＤＬ＿ＣＣ  ｆａｉｌｕｒｅとＵＬ＿ＣＣ  ｆａｉｌｕｒｅに代えて、無線リンク状態としてデアクティベーション（ＤＬ＿ＣＣ  ＤｅａｃｔｉｖａｔｉｏｎとＵＬ＿ＣＣ  Ｄｅａｃｔｉｖａｔｉｏｎ）の区間を持つ。移動局装置１は、基地局装置２から設定されたコンポーネントキャリアを使用しない場合に無線リンク状態をデアクティベーションに変更する。移動局装置１がコンポーネントキャリアの無線リンク状態をデアクティベーションへ変更するための条件は、上記実施形態におけるＤＬ＿ＣＣ  ｆａｉｌｕｒｅまたはＵＬ＿ＣＣ  ｆａｉｌｕｒｅと判定する条件と同じでよい。デアクティベーションへの遷移、及びデアクティベーションからの復帰は、基地局装置２から移動局装置１に明示的に通知されても良い。基地局装置２は、移動局装置１への通知の方法として、下りリンク制御チャネルやＭＡＣメッセージ（ＭＡＣ制御エレメント）、ＲＲＣメッセージを用いることが可能である。移動局装置１は、無線リンク問題の検出、または基地局装置２からの通知に基づき、コンポーネントキャリアの無線リンク状態をデアクティベーション（ＤＬ＿ＣＣ  ＤｅａｃｔｉｖａｔｉｏｎまたはＵＬ＿ＣＣ  Ｄｅａｃｔｉｖａｔｉｏｎ）に設定した場合、上記実施形態のようにデアクティベーションに設定したコンポーネントキャリアと連携関係にある別のコンポーネントキャリアの無線リンク状態を同時にデアクティベーションに遷移させても良い。
【０１３２】
また、説明の便宜上、実施形態の移動局装置１及び基地局装置２を機能的なブロック図を用いて説明したが、移動局装置１及び基地局装置２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
【０１３３】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１３４】
また、上記各実施形態に用いた移動局装置１および基地局装置２の各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１３５】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１３６】
１…移動局装置
２…基地局装置
１１〜１３…送信装置
２１〜２３…受信装置
１０１、２０１…受信部
１０２、２０２…復調部
１０３、２０３…復号部
１０４…測定処理部
１０５、２０４…制御部
１０６…ランダムアクセス処理部
１０７、２０５…符号部
１０８、２０６…変調部
１０９、２０７…送信部
１１０、２１０…上位レイヤ
２０８…ネットワーク信号処理部
２０９…周辺情報管理部
【図１】
0005632883.tif 000002
【図２】
0005632883.tif 000003
【図３】
0005632883.tif 000004
【図４】
0005632883.tif 000005
【図５】
0005632883.tif 000006
【図６】
0005632883.tif 000007
【図７】
0005632883.tif 000008
【図８】
0005632883.tif 000009
【図９】
0005632883.tif 000010
【図１０】
0005632883.tif 000011
【図１１】
0005632883.tif 000012
【図１２】
0005632883.tif 000013
【図１３】
0005632883.tif 000014
【図１４】
0005632883.tif 000015
【図１５】
0005632883.tif 000016
【図１６】
0005632883.tif 000017